(57)【要約】      （修正有）【課題】容器本体に蓋体を容易に取り付けることができる保冷容器を提供する。【解決手段】物品を収容する内部空間を形成する容器本体１と、容器本体に取り付けられる蓋体２とを備えており、容器本体は、内部空間を一方向に向けて開放する本体開口部１ａを形成する内周端縁１ｂを有する本体環状端部１ｃを備えており、蓋体は、本体開口部を閉塞するように前記一方向に沿って本体環状端部に取り付けられた際に、本体環状端部の内側に配置されて本体環状端部の内面と前記一方向に沿って摺接する蓋体摺接部２ｃを備えており、本体環状端部は、内面における内周端縁から内部空間の中央側へ離間した位置に、蓋体摺接部と前記一方向に沿って摺接する本体摺接部１ｆを備える保冷容器１０であって、本体環状端部は、内面における内周端縁から本体摺接部に至る領域が本体摺接部側から内周端縁へ向かうに従って本体摺接部よりも容器本体の外側へ傾斜するように形成された本体傾斜部１ｇを備える。【選択図】図１
0003219002.tif 000002
【実用新案登録請求の範囲】
【請求項１】
物品を収容する内部空間を形成する容器本体と、該容器本体に取り付けられる蓋体とを備えており、
容器本体は、内部空間を一方向に向けて開放する本体開口部を形成する内周端縁を有する本体環状端部を備えており、
蓋体は、本体開口部を閉塞するように前記一方向に沿って本体環状端部に取り付けられた際に、本体環状端部の内側に配置されて該本体環状端部の内面と前記一方向に沿って摺接する蓋体摺接部を備えており、
本体環状端部は、内面における内周端縁から内部空間の中央側へ離間した位置に、蓋体摺接部と前記一方向に沿って摺接する本体摺接部を備える保冷容器であって、
本体環状端部は、内面における内周端縁から本体摺接部に至る領域が本体摺接部側から内周端縁へ向かうに従って本体摺接部よりも容器本体の外側へ傾斜するように形成された本体傾斜部を備える保冷容器。
【請求項２】
前記本体開口部は、上方へ向けて内部空間を開放するように構成されており、
前記蓋体は、上下方向に沿って本体環状端部に取り付け可能に構成されており、
前記本体環状端部は、内周端縁から下方へ離間した位置に本体摺接部を備えており、
前記本体摺接部と蓋体摺接部とは、上下方向に沿って摺接するように構成されており、
前記本体傾斜部は、本体環状端部における本体摺接部側から内周端縁側へ向かうに従って高さが高くなるように構成される請求項１に記載の保冷容器。
【請求項３】
本体環状端部は、内面に本体傾斜部と連なる凹み部を備えており、
該凹み部の内面における前記一方向に沿った面によって本体摺接部が形成される請求項１又は２に記載の保冷容器。
【請求項４】
本体環状端部は、本体傾斜部から突出する本体突出部を備えており、
蓋体は、本体環状端部に取り付けられた際に、本体突出部を挿入可能に形成されて本体突出部と摺接する蓋体凹状部を備える請求項１乃至３の何れか一項に記載の保冷容器。
【請求項５】
蓋体は、本体環状端部に取り付けられた際に、本体傾斜部と対峙する位置に配置されて本体傾斜部に沿って傾斜する蓋体傾斜部を備える請求項１乃至４の何れか一項に記載の保冷容器。
【考案の詳細な説明】
【技術分野】
【０００１】
本考案は、物品を収容する容器本体と該容器本体に取り付けられる蓋体とを備える保冷容器に関する。
【背景技術】
【０００２】
物品を保管したり搬送したりする際には、物品の品質等を維持するべく、保冷容器が使用される場合がある。斯かる保冷容器としては、例えば、物品を収容する内部空間を形成する容器本体と、該容器本体に取り付けられる蓋体とを備えるものが知られている。容器本体は、内部空間を一方向に向けて開放する本体開口部を形成する本体環状端部を備える。蓋体は、前記一方向に沿って本体環状端部に取り付けられることで、本体開口部を閉塞するように構成される。
【０００３】
また、このような保冷容器は、本体環状端部に取り付けられた蓋体の一部と、本体環状端部の内面とが摺接する（所謂、内嵌合する）ように構成される場合がある。斯かる場合には、蓋体は、本体環状端部の内側に配置されて該本体環状端部の内面と前記一方向に沿って摺接する蓋体摺接部を備えるように構成される。また、本体環状端部は、蓋体摺接部と前記一方向に沿って摺接する本体摺接部を内面に備えるように構成される。該本体摺接部は、本体環状端部における本体開口部を形成する内周端縁から前記一方向に沿って形成される（特許文献１参照）。これにより、本体環状端部に蓋体を取り付けた際に、本体摺接部と蓋体摺接部とが前記一方向に沿って（即ち、蓋体の取り付け方向に沿って）摺接した状態となるため、容器本体に蓋体を取り付けた状態が良好に維持される。これにより、収容空間の保冷性を良好に維持することが可能になる。
【先行技術文献】
【特許文献】
【０００４】
【特許文献１】特開２０００−２６４３７５号公報
【考案の概要】
【考案が解決しようとする課題】
【０００５】
しかしながら、上記のような保冷容器では、本体摺接部は、本体環状端部の内周端縁から前記一方向に沿って形成されているため、該内周端縁が本体摺接部と前記一方向において略重なる位置に形成される。このため、本体環状端部に蓋体を取り付ける際に、蓋体摺接部が本体環状端部の内周端縁と接触し、容器本体に蓋体を取り付け難くなる（即ち、蓋体で本体開口部を閉塞し難くなる）。
【０００６】
そこで、本考案は、容器本体に蓋体を容易に取り付けることができる保冷容器を提供することを課題とする。
【課題を解決するための手段】
【０００７】
本考案に係る保冷容器は、物品を収容する内部空間を形成する容器本体と、該容器本体に取り付けられる蓋体とを備えており、容器本体は、内部空間を一方向に向けて開放する本体開口部を形成する内周端縁を有する本体環状端部を備えており、蓋体は、本体開口部を閉塞するように前記一方向に沿って本体環状端部に取り付けられた際に、本体環状端部の内側に配置されて該本体環状端部の内面と前記一方向に沿って摺接する蓋体摺接部を備えており、本体環状端部は、内面における内周端縁から内部空間の中央側へ離間した位置に、蓋体摺接部と前記一方向に沿って摺接する本体摺接部を備える保冷容器であって、本体環状端部は、内面における内周端縁から本体摺接部に至る領域が本体摺接部側から内周端縁へ向かうに従って本体摺接部よりも容器本体の外側へ傾斜するように形成された本体傾斜部を備える。
【０００８】
斯かる構成によれば、本体環状端部に蓋体を取り付ける際に、本体環状端部の内面の本体摺接部に蓋体の蓋体摺接部が前記一方向に沿って摺接するように構成される。そして、本体環状端部は、内面における内周端縁から本体摺接部に至る領域が本体摺接部側から内周端縁へ向かうに従って本体摺接部よりも容器本体の外側へ傾斜するように形成された本体傾斜部を備える。
【０００９】
そして、本体環状端部が本体傾斜部を備えることで、内周端縁が本体摺接部よりも容器本体の外側に位置することになる。これにより、蓋体を本体環状端部に前記一方向に沿って取り付ける際に、蓋体摺接部が内周端縁と接触し難くなるため、容器本体に蓋体を取り付ける作業を容易に行うことができる。
【００１０】
また、蓋体摺接部が本体環状端部の内周端縁に接触し難くなるため、該内周端縁が蓋体摺接部との接触によって破損するのを防止する抑制することができる。
【００１１】
前記本体開口部は、上方へ向けて内部空間を開放するように構成されており、前記蓋体は、上下方向に沿って本体環状端部に取り付け可能に構成されており、前記本体環状端部は、内周端縁から下方へ離間した位置に本体摺接部を備えており、前記本体摺接部と蓋体摺接部とは、上下方向に沿って摺接するように構成されており、前記本体傾斜部は、本体環状端部における本体摺接部側から内周端縁側へ向かうに従って高さが高くなるように構成されてもよい。
【００１２】
本体環状端部は、内面に本体傾斜部と連なる凹み部を備えており、
該凹み部の内面における前記一方向に沿った面によって本体摺接部が形成されることが好ましい。
【００１３】
斯かる構成によれば、本体傾斜部と連なる凹み部の内面に本体摺接部が形成されるため、凹み部の内側で本体摺接部と蓋体摺接部とが摺接することになる。これにより、本体環状端部に対する蓋体の取り付け状態をより良好に維持することができる。
【００１４】
本体環状端部は、本体傾斜部から突出する本体突出部を備えており、蓋体は、本体環状端部に取り付けられた際に、本体突出部を挿入可能に形成されて本体突出部と摺接する蓋体凹状部を備えることが好ましい。
【００１５】
斯かる構成によれば、本体環状端部は、本体傾斜部から突出する本体突出部を備える。また、蓋体は、本体環状端部に取り付けられた際に、本体突出部を挿入可能に形成されて本体突出部と摺接する蓋体凹状部を備える。
【００１６】
これにより、本体摺接部と蓋体摺接部とが摺接した状態で、本体突出部が蓋体凹状部内に挿入されて摺接した状態になるため、本体環状端部に対する蓋体の取り付け状態をより良好に維持することができる。
【００１７】
蓋体は、本体環状端部に取り付けられた際に、本体傾斜部と対峙する位置に配置されて本体傾斜部に沿って傾斜する蓋体傾斜部を備えることが好ましい。
【００１８】
斯かる構成によれば、蓋体は、本体環状端部に取り付けられた際に、本体傾斜部と対峙する位置に配置されて本体傾斜部に沿って傾斜する蓋体傾斜部を備える。これにより、蓋体が本体環状端部に取り付けられた状態で、本体傾斜部と蓋体傾斜部との間に隙間が形成されるのを抑制することができるため、内部空間の保冷性が低下するのを抑制することができる。
【考案の効果】
【００１９】
以上のように、本考案によれば、容器本体に蓋体を容易に取り付けることができる。
【図面の簡単な説明】
【００２０】
【図１】本願考案の一実施形態に係る保冷容器を構成する部材を示した断面図。
【図２】（ａ）は、同実施形態に係る保冷容器における本体環状端部の一部を示した断面斜視図、（ｂ）は、同実施形態に係る保冷容器における本体環状端部の一部の断面の端面を示した図。
【図３】（ａ）は、同実施形態に係る保冷容器における蓋体の蓋体摺接部の近傍を示した断面図、（ｂ）は、同実施形態に係る保冷容器における容器本体に蓋体が取り付けられた状態の本体摺接部及び蓋体摺接部の近傍を示した断面図。
【図４】（ａ）は、他の実施形態に係る保冷容器における容器本体に蓋体が取り付けられた状態の本体摺接部及び蓋体摺接部の近傍を示した断面図、（ｂ）は、更に他の実施形態に係る保冷容器における容器本体に蓋体が取り付けられた状態の本体摺接部及び蓋体摺接部の近傍を示した断面図。
【考案を実施するための形態】
【００２１】
以下に、本考案に係る保冷容器の一実施形態について、図１〜３を参照しつつ説明するが、本考案は、下記の実施形態の構成に限定されるものではない。また、以下の図面において同一または相当する部分には同一の参照符号を付しその説明は繰り返さない。
【００２２】
本考案の一実施形態である保冷容器１０は、図１に示すように、物品を収容する内部空間を形成する容器本体１と、該容器本体１に取り付けられる蓋体２とを備える。そして、保冷容器１０は、容器本体１に蓋体２が取り付けられることで、内部空間が閉塞されるように構成される。
【００２３】
容器本体１は、内部空間を一方向に（本実施形態では、上方へ）向けて開放する本体開口部１ａを備える。具体的には、容器本体１は、環状に形成された本体環状端部１ｃを備え、該本体環状端部１ｃの内側に本体開口部１ａが形成される。つまり、本体環状端部１ｃは、本体開口部１ａを形成する内周端縁１ｂを備える。より詳しくは、容器本体１は、筒状に形成された本体側壁部１ｄと、該本体側壁部１ｄの一端部を閉塞する本体底部１ｅとを備える。そして、容器本体１は、本体側壁部１ｄの他端部に本体環状端部１ｃ、及び、本体開口部１ａを備え、本体側壁部１ｄと本体底部１ｅとで囲まれた内部空間が形成される。また、容器本体１は、本体環状端部１ｃに蓋体２を着脱可能に構成される。
【００２４】
本体環状端部１ｃは、図２（ａ）（ｂ）に示すように、前記一方向（具体的には、本体開口部１ａから内部空間が開放する方向であり、本実施形態では、上下方向）に沿って後述する蓋体摺接部２ｃと摺接する本体摺接部１ｆを内面に（具体的には、内周端縁１ｂから内部空間の中央側へ離間した位置に）備える。つまり、本実施形態では、本体摺接部１ｆは、内周端縁１ｂよりも下方の位置に形成される。また、本体摺接部１ｆは、前記一方向に沿って（本実施形態では、上下方向に沿って）形成される。また、本実施形態では、本体摺接部１ｆは、図１に示すように、本体環状端部１ｃの内周面の周方向の略全域に亘って形成される。
【００２５】
図２（ａ）（ｂ）に戻り、本体環状端部１ｃは、内面における内周端縁１ｂから本体摺接部１ｆに至る領域が本体摺接部１ｆ側から内周端縁１ｂへ向かうに従って本体摺接部１ｆよりも容器本体１の外側へ位置するように傾斜する本体傾斜部１ｇを備える。つまり、本実施形態では、本体傾斜部１ｇは、内周端縁１ｂ側の端部が上方に位置し、本体摺接部側の端部が下方に位置するように傾斜する。本体傾斜部１ｇは、本体環状端部１ｃの内周端縁１ｂから本体摺接部１ｆの一端部（具体的には、内周端縁１ｂ側に位置する端部）に亘って形成される。換言すれば、本体傾斜部１ｇは、本体環状端部１ｃの内周端縁１ｂ側の一端部が内周端縁１ｂに達するように形成され、本体摺接部１ｆ側の他端部が本体摺接部１ｆの一端部と連なるように形成される。また、本体傾斜部１ｇは、図１に示すように、本体環状端部１ｃの内周面の周方向の略全域に亘って形成される。
【００２６】
図２（ａ）（ｂ）に戻り、本体傾斜部１ｇの傾斜角度（前記一方向における本体摺接部１ｆに対する角度）θ１としては、特に限定されるものではなく、１０°以上７０°以下であることが好ましく、５０°程度であることがより好ましい。傾斜角度θ１が１０°以上であることで、本体環状端部１ｃの内周端縁１ｂと蓋体摺接部２ｃとの接触をより効果的に抑制することができる。また、傾斜角度θ１が７０°以下であることで、本体傾斜部１ｇ上に収容物の一部が残存するのを抑制することができる。具体的には、容器本体１に収容する収容物に加えて、おがくず等の粉状物を混入したり粉砕した氷等の粒状物を混入したりした場合において、傾斜角度θ１が７０°以下であることで、これらの収容物が本体傾斜部１ｇに接した際にも、これらが本体傾斜部１ｇ上に留まり難くなる（換言すれば、本体傾斜部１ｇの傾斜によって容器本体１の内部空間へ落下する）。このため、本体傾斜部１ｇ上に収容物の一部が残存して容器本体１に蓋体２を取り付け難くなるのを抑制することができる。
【００２７】
また、前記一方向に対して直行する他方向（本実施形態では、水平方向）における本体傾斜部１ｇの一端部と本体摺接部１ｆの一端部との間隔Ｌとしては、特に限定されるものではなく、例えば、５ｍｍ以上２０ｍｍ以下（容器厚みの１５％以上７０％以下）であることが好ましく、１０ｍｍ以上１５ｍｍ以下（容器厚みの３０％以上５０％以下）であることがより好ましい。
【００２８】
また、本体環状端部１ｃは、内面に本体傾斜部１ｇと連なる凹み部１ｈを備える。該凹み部１ｈは、本体傾斜部１ｇの他端部と連なるように形成される。そして、該凹み部１ｈの内面における前記一方向に沿った（本実施形態では、上下方向に沿った）面によって本体摺接部１ｆが形成される。また、本実施形態では、凹み部１ｈは、図１に示すように、本体環状端部１ｃの内周面の周方向の略全域に亘って形成される。
【００２９】
図２（ａ）（ｂ）に戻り、本体環状端部１ｃは、本体傾斜部１ｇから突出する本体突出部１ｉを備える。該本体突出部１ｉは、本体環状端部１ｃの内周端縁１ｂ側へ本体摺接部１ｆから離間した位置に形成される。また、本体突出部１ｉは、前記他方向に広がる突出部上面１ｉ１と、該突出部上面１ｉ１の端部から本体傾斜部１ｇ側へ延びる突出部側面１ｉ２を少なくとも一つ（本実施形態では、３つ）備える。
【００３０】
突出部上面１ｉ１は、本体環状端部１ｃの内周端縁１ｂから本体摺接部１ｆへ向かって傾斜するように形成される。突出部上面１ｉ１の傾斜角度（前記一方向における本体摺接部１ｆに対する角度）θ２は、本体傾斜部１ｇの傾斜角度θ１とは異なる角度であって、傾斜角度θ１よりも大きく、且つ、９０°未満であることが好ましい。突出部側面１ｉ２（本実施形態では、少なくとも一つの突出部側面１ｉ２）は、後述の蓋体凹状部２ｅに本体突出部１ｉが挿入された際に、蓋体凹状部２ｅの内面と摺接するように構成される。また、本実施形態では、本体突出部１ｉは、図１に示すように、本体環状端部１ｃの内周面の周方向に間隔を空けて複数形成される。
【００３１】
蓋体２は、図１に示すように、本体開口部１ａを閉塞するように前記一方向（本実施形態では、上下方向）に沿って本体環状端部１ｃに取り付けられる。また、蓋体２は、本体環状端部１ｃに取り付けられた際に、本体開口部１ａを覆うように形成された蓋体本体部２ａと、本体環状端部１ｃ（本体開口部１ａ）の内側に配置される開口内配置部２ｂとを備える。
【００３２】
また、蓋体２は、図３（ａ）に示すように、本体環状端部１ｃに取り付けられた際に（具体的には、本体開口部１ａを閉塞した状態で）、本体環状端部１ｃ（換言すれば、本体開口部１ａ）の内側に配置されて前記一方向（具体的には、本体開口部１ａから内部空間が開放する方向であり、本実施形態では、上下方向）に沿って本体環状端部１ｃの内面と摺接する蓋体摺接部２ｃを備える。該蓋体摺接部２ｃは、開口内配置部２ｂの外面に、前記一方向に沿って（本実施形態では、上下方向に沿って）形成される。また、本実施形態では、蓋体摺接部２ｃは、図１に示すように、開口内配置部２ｂの外周面の周方向の略全域に亘って形成される。
【００３３】
図３（ａ）に戻り、蓋体２は、開口内配置部２ｂの外面における蓋体摺接部２ｃよりも蓋体本体部２ａ側の領域が蓋体摺接部２ｃ側から蓋体本体部２ａへ向かうに従って蓋体摺接部２ｃよりも保冷容器１０の外側へ位置するように傾斜する蓋体傾斜部２ｄを備える。該蓋体傾斜部２ｄは、蓋体２が本体環状端部１ｃに取り付けられた際に、本体傾斜部１ｇと対峙する位置に配置される。また、蓋体傾斜部２ｄは、蓋体２が本体環状端部１ｃに取り付けられた際に、本体傾斜部１ｇに沿って配置される。また、蓋体傾斜部２ｄは、図１に示すように、開口内配置部２ｂの外周面の周方向の略全域に亘って形成される。
【００３４】
図３（ａ）に戻り、蓋体２は、本体環状端部１ｃに取り付けられた際に、本体突出部１ｉを挿入可能に構成された蓋体凹状部２ｅを備える。該蓋体凹状部２ｅは、蓋体２が本体環状端部１ｃに取り付けられた際に本体傾斜部１ｇと対向する位置に配置される。つまり、本実施形態では、蓋体凹状部２ｅは、蓋体傾斜部２ｄに形成される。また、蓋体凹状部２ｅは、開口内配置部２ｂの外周面の周方向に間隔を空けて複数形成される。
【００３５】
上記のように構成される保冷容器１０において、容器本体１に蓋体２が取り付けられることで、図３（ｂ）に示すように、本体環状端部１ｃの内側に、開口内配置部２ｂが配置される。そして、本体摺接部１ｆと蓋体摺接部２ｃとが前記一方向に沿って（本実施形態では、上下方向に沿って）摺接する。これにより、容器本体１と蓋体２とが内嵌合した状態が形成される。この際、本体傾斜部１ｇと蓋体傾斜部２ｄとが部分的に、又は、全体的接触してもよく、全く接触しないように構成されてもよい。更に、本体突出部１ｉが蓋体凹状部２ｅに挿入され、突出部側面１ｉ２の少なくとも一部が蓋体凹状部２ｅの内面に前記一方向に沿って（本実施形態では、上下方向に沿って）摺接する。これにより、本体突出部１ｉと蓋体凹状部２ｅとが嵌合した状態が形成される。
【００３６】
なお、上記のように構成される保冷容器１０は、発泡樹脂を用いて形成されることが好ましい。発泡樹脂としては、特に限定されるものではなく、例えば、ポリスチレン系樹脂発泡体、ポリエチレン系樹脂発泡体、ポリプロピレン系樹脂発泡体、又は、ポリウレタン系樹脂発泡体等を用いることができる。また、これらの発泡樹脂の粒子が成形金型を用いて一体的に成形されて保冷容器１０が形成されてもよい。
【００３７】
以上のように、本考案に係る保冷容器は、容器本体に蓋体を容易に取り付けることができる。
【００３８】
即ち、本体環状端部１ｃに蓋体２を取り付ける際に、本体環状端部１ｃの内面の本体摺接部１ｆに蓋体２の蓋体摺接部２ｃが前記一方向に沿って摺接するように構成される。そして、本体環状端部１ｃは、内面における内周端縁１ｂから本体摺接部１ｆに至る領域が本体摺接部１ｆ側から内周端縁１ｂへ向かうに従って本体摺接部１ｆよりも容器本体１の外側へ傾斜するように形成された本体傾斜部１ｇを備える。
【００３９】
そして、本体環状端部１ｃが本体傾斜部１ｇを備えることで、内周端縁１ｂが本体摺接部１ｆよりも容器本体１の外側に位置することになる。これにより、蓋体２を本体環状端部１ｃに前記一方向に沿って取り付ける際に、蓋体摺接部２ｃが内周端縁１ｂと接触し難くなるため、容器本体１に蓋体２を取り付ける作業を容易に行うことができる。
【００４０】
また、蓋体摺接部２ｃが本体環状端部１ｃの内周端縁１ｂに接触し難くなるため、該内周端縁１ｂが蓋体摺接部２ｃとの接触によって破損するのを防止する抑制することができる。
【００４１】
また、本体傾斜部１ｇと連なる凹み部１ｈの内面に本体摺接部１ｆが形成されるため、凹み部１ｈの内側で本体摺接部１ｆと蓋体摺接部２ｃとが摺接することになる。これにより、本体環状端部１ｃに対する蓋体２の取り付け状態をより良好に維持することができる。
【００４２】
また、本体環状端部１ｃは、本体傾斜部１ｇから突出する本体突出部１ｉを備える。また、蓋体２は、本体環状端部１ｃに取り付けられた際に、本体突出部１ｉを挿入可能に形成されて本体突出部１ｉと摺接する蓋体凹状部２ｅを備える。
【００４３】
これにより、本体摺接部１ｆと蓋体摺接部２ｃとが摺接した状態で、本体突出部１ｉが蓋体凹状部２ｅ内に挿入されて摺接した状態になるため、本体環状端部１ｃに対する蓋体２の取り付け状態をより良好に維持することができる。
【００４４】
また、蓋体２は、本体環状端部１ｃに取り付けられた際に、本体傾斜部１ｇと対峙する位置に配置されて本体傾斜部１ｇに沿って傾斜する蓋体傾斜部２ｄを備える。これにより、蓋体２が本体環状端部１ｃに取り付けられた状態で、本体傾斜部１ｇと蓋体傾斜部２ｄとの間に隙間が形成されるのを抑制することができるため、内部空間の保冷性が低下するのを抑制することができる。
【００４５】
なお、本考案に係る保冷容器は、上記実施形態に限定されるものではなく、本考案の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、他の各種の変更例に係る構成や方法等を任意に選択して、上記した実施形態に係る構成や方法等に採用してもよいことは勿論である。
【００４６】
例えば、上記実施形態では、本体環状端部１ｃは、内面に本体傾斜部１ｇと連なる凹み部１ｈを備え、該凹み部１ｈの内面に本体摺接部１ｆが形成されるように構成されているが、これに限定されるものではなく、例えば、図４（ａ）に示すように、本体環状端部１ｃが凹み部１ｈを備えないように構成されてもよい。斯かる場合には、本体摺接部１ｆは、本体環状端部１ｃよりも本体底部１ｅ側の内面に形成される。
【００４７】
また、上記実施形態では、本体摺接部１ｆ、本体傾斜部１ｇ、及び、凹み部１ｈが本体環状端部１ｃの全周に亘って形成されているが、これに限定されるものではなく、例えば、本体環状端部１ｃの周方向の一部にのみ本体摺接部１ｆ、本体傾斜部１ｇ、及び／又は、凹み部１ｈが形成されてもよい。
【００４８】
また、上記実施形態では、本体傾斜部１ｇと蓋体傾斜部２ｄとが接触するように構成されているが、これに限定されるものではなく、例えば、本体傾斜部１ｇと蓋体傾斜部２ｄとが接触しないように構成されてもよい。
【００４９】
また、上記実施形態では、蓋体２が蓋体傾斜部２ｄを備えるように構成されているが、これに限定されるものではなく、例えば、図４（ｂ）に示すように、蓋体２が蓋体傾斜部２ｄを備えないように構成されてもよい。具体的には、蓋体摺接部２ｃから蓋体本体部２ａに達する一方向に沿った面を有するように構成されてもよい。斯かる場合、本体傾斜部１ｇと開口内配置部２ｂとの間に空間が形成される。
【００５０】
また、上記実施形態では、本体傾斜部１ｇは、平面状に形成され、連続的に傾斜するように構成されているが、これに限定されるものではなく、例えば、段階的に傾斜する面で構成されてもよく、湾曲した面で構成されてもよい。
【符号の説明】
【００５１】
１…容器本体、１ａ…本体開口部、１ｂ…内周端縁、１ｃ…本体環状端部、１ｄ…本体側壁部、１ｅ…本体底部、１ｆ…本体摺接部、１ｇ…本体傾斜部、１ｈ…凹み部、１ｉ…本体突出部、１ｉ１…突出部上面、１ｉ２…突出部側面、２…蓋体、２ａ…蓋体本体部、２ｂ…開口内配置部、２ｃ…蓋体摺接部、２ｄ…蓋体傾斜部、２ｅ…蓋体凹状部、１０…保冷容器
【図１】
0003219002.tif 000003
【図２】
0003219002.tif 000004
【図３】
0003219002.tif 000005
【図４】
0003219002.tif 000006